(57)【特許請求の範囲】
【請求項１】
ヘッドケーシングの先端部に備えた一対のリップ間のスリットを通して供給される塗工液を、ロールに巻掛けられて走行する原紙の表面に噴射して塗布するようにしてある塗工液噴射ヘッドの上記一対のリップの先端部の内側に、それぞれ通水路を全長に亘り設け、上記リップの最先端部付近の外側に、上記通水路内の水をにじみ出させて該水を上記ヘッドケーシングの外側表面に沿わせるための多数の水流出口を、隣り同士の水流出口からにじみ出る水が合流し合うように所要のピッチ間隔で穿設した構成を有することを特徴とする塗工液噴射ヘッドの汚れ防止装置。
【請求項２】
ヘッドケーシングの下端部に、リップの最先端部付近の外側に穿設した水流出口からにじみ出てヘッドケーシングの外側表面に沿って流下する水を回収するための水回収樋を設けた請求項１記載の塗工液噴射ヘッドの汚れ防止装置。
【発明の詳細な説明】
【０００１】
【発明の属する技術分野】
本発明は製紙工場において製造される紙を原紙としてその表面に塗工液を塗布する塗工装置としてのブレードコータやロッドコータで用いる塗工液噴射ヘッドの汚れ防止装置に関するものである。
【０００２】
【従来の技術】
製紙工場で製造された紙はそのままの形で直ちに使用されることはなく、それを原紙として更に加工を施すことにより所望の目的に適合する製品としての加工紙とする場合が多い。加工紙には種々のものがあるが、その一つに塗被加工紙がある。塗被加工紙は、紙の表面に塗工液（塗工用カラー）を塗布させて製造するものであり、そのための装置として塗工装置が用いられている。
【０００３】
かかる塗工装置の一つとしては、図３にその一例の概略を示す如きブレードコータがある。該ブレードコータは、原紙１を巻掛けて走行させるようにしてあるバッキングロール２の下側近傍位置に、バッキングロール２の長手方向と平行に延びるようにしたファウンテンと称する塗工液噴射ヘッド３を設け、且つ上記塗工液噴射ヘッド３の位置よりもバッキングロール２の回転方向下流側位置に、該塗工液噴射ヘッド３から上記原紙１の表面に塗布された塗工液４の余剰分を掻き取るブレード５を、原紙１の表面と接するように配置して、先ず、塗工液噴射ヘッド３から原紙１の表面へ向けて塗工液４を噴射供給して、原紙１の表面に幅方向に一様に塗工液４を塗布し、しかる後、原紙１の表面に塗布された塗工液４の余剰分をブレード５にて掻き取ることにより、原紙１の表面に所要厚さの塗工液膜を均一に形成させるようにしている。
【０００４】
上記ブレードコータで用いられている塗工液噴射ヘッド３は、図４にその一例を拡大して示す如く、先端側を合掌形状に形成したヘッドケーシング６内に、ポンプによって送給された塗工液４を幅方向に一様に分配するようにした液溜め７を設け、且つ該液溜め７から先端側（上方）へ延びるように形成した塗工液流出路８に、先端部がヘッドケーシング６上に突出するよう一対のリップ９を所要間隔で平行に上向きに取り付けて、上記塗工液流出路８と連続するスリット１０を形成し、上記液溜め７から塗工液流出路８及びリップ９間のスリット１０を通して塗工液４を噴射供給できるようにしてある。
【０００５】
上記塗工液噴射ヘッド３では、噴射供給時に飛散した塗工液４やブレード５により掻き落とされた塗工液４がヘッド周りに汚れとして付着すると、清掃しなければならないが、その清掃作業は大変であり、特に、リップ９の先端（上端）に塗工液４が汚れとして付着して堆積すると、塗工液４の流れが阻害されることにより、均一噴射供給が妨げられ塗工むらが発生してしまうので、従来では、リップ９の先端部内に水冷ジャケット１１を設けると共に、ヘッドケーシング６の外側面にも水冷ジャケット１２を設け、これら水冷ジャケット１１，１２内に、冷凍機によって冷却された冷水を流通させるようにしてジャケット表面を結露させるようにすることにより、汚れを堆積させないようにする対策が施されている。又、水冷ジャケット１１，１２に通水するだけでは効果が不足するようなときには、ジャケット表面に蒸気を吹き付けるようにすることもある。
【０００６】
【発明が解決しようとする課題】
ところが、上記水冷ジャケット１１，１２による汚れ防止対策の場合、雰囲気の湿度や温度状況によって結露具合が左右されるため、汚れの堆積を防止できないことがあると共に、冷水を製造する冷凍機は高価であるため、設備費が嵩む問題もある。又、蒸気を併用すると結露し易くなるが、蒸気の一部が紙に不均一に当る不具合が発生する。
【０００７】
そこで、本発明は、周囲の雰囲気に左右されることなく、且つ高価な冷凍機や蒸気を用いることなく、リップ先端部を含むヘッド周りに汚れが堆積することがないようにしようとするものである。
【０００８】
【課題を解決するための手段】
本発明は、上記課題を解決するために、ヘッドケーシングの先端部に備えた一対のリップ間のスリットを通して供給される塗工液を、ロールに巻掛けられて走行する原紙の表面に噴射して塗布するようにしてある塗工液噴射ヘッドの上記一対のリップの先端部の内側に、それぞれ通水路を全長に亘り設け、上記リップの最先端部付近の外側に、上記通水路内の水をにじみ出させて該水を上記ヘッドケーシングの外側表面に沿わせるための多数の水流出口を、隣り同士の水流出口からにじみ出る水が合流し合うように所要のピッチ間隔で穿設した構成とする。
【０００９】
水流出口から小量の水を流出させてリップ先端部の外側表面からヘッドケーシングの外側表面にかけて一様に濡らすようにすると、汚れが水と共に流れ落ちるため、ヘッド周りに汚れが堆積することがなくなる。
【００１０】
又、ヘッドケーシングの下端部に、リップの最先端部付近の外側に穿設した水流出口からにじみ出てヘッドケーシングの外側表面に沿って流下する水を回収するための水回収樋を設けた構成とすることにより、汚れが付着した水を水回収樋で回収することができて、カラーパンに入ることが防止され、カラーパンに入って塗工液を希釈することが防止される。
【００１１】
【発明の実施の形態】
以下、本発明の実施の形態を図面を参照して説明する。
【００１２】
図１は本発明の実施の一形態を示すもので、図４に示したと同様に、ヘッドケーシング６の上部に、内部の液溜め７に塗工液流出路８を介して連通するスリット１０が形成され且つ先端部がヘッドケーシング６上に突出するように一対のリップ９が取り付けてある塗工液噴射ヘッド３において、上記リップ９の先端部の内側に原紙１（図３）の幅方向に沿う長手方向の全長に亘って通水路１３を設けると共に、上記リップ９の最先端部付近の外側（たとえば、リップ９の最先端から約５ｍｍ位のところ）に、上記通水路１３と連通する小径（たとえば、直径が１〜３ｍｍ）の円孔状の水流出口１４を、隣り同士の水流出口１４から出る水が合流し合うような所要のピッチ間隔で多数穿設して、上記通水路１３から各水流出口１４を通して水Ｗをにじみ出させるようにし、且つ上記リップ９先端部の下側に位置するヘッドケーシング６の外側面（図３に示すバッキングロール２の回転方向上、下流側面）の下端部に水回収樋１５を設け、リップ９の先端部外側から流下する水Ｗをヘッドケーシング６の外側表面に沿わせて水回収樋１５で回収できるようにする。
【００１３】
上記構成とした塗工液噴射ヘッド３は、運転時に、リップ９の先端部内の通水路１３に水Ｗを供給して、リップの最先端部付近の水流出口１４から小量の水Ｗを連続的又は間欠的ににじみ出させる如く直接流すようにする。これにより、リップ９の先端部外側表面からヘッドケーシング６の外側表面は常に水Ｗにより一様に濡れた状態となるので、雰囲気条件に左右されることなく水Ｗで濡らした状態にすることができて、リップ９の先端より噴出される塗工液の一部がリップ９の先端部外側に付着しても水Ｗと共に流すことができ、汚れの堆積を防止することができる。このため、ヘッド周りの清掃周期を長くとることができ、清掃のための機械の停止時間を短縮することができる。又、汚れが付着した水Ｗはヘッドケーシング６の下端の水回収樋１５で回収することができて、下方に配してあるカラーパンにて受けられることがないので、塗工液循環系統に混入することにより塗工液４を希釈してしまうようなことはない。
【００１４】
本発明においては、上記のように水流出口１４がリップ９の最先端部付近の外側に設けてあるため、リップ９の先端に塗工液４が付着して堆積してしまうというような事態の発生を確実に防ぐことができる。したがって、リップ９間のスリット１０から噴射供給される塗工液４の流れが阻害されてしまうというようなことはなく、塗工むらの発生を未然に防ぐことができる。又、上記水流出口１４から流出させる水Ｗは冷水である必要はないので、従来の如き冷凍機は不要であってコスト的に有利であり、しかも蒸気を併用する必要はないので、蒸気が紙に当ることによる不具合発生の問題が生ずることもない。
【００１５】
次に、図２は本発明の実施の他の形態を示すもので、図１に示したと同様な構成において、リップ９の最先端部付近の外側に設ける水流出口１４の孔形状を他の形状とする場合の例を示すもので、一例として、長孔状の水流出口１６としたものである。
【００１６】
図２に示すようにした場合は、水Ｗを幅方向により一様に流し易くすることができるので、汚れの堆積を防ぐ効果を更に向上させることができる。
【００１７】
なお、上記実施の形態では、ブレードコータで用いる塗工液噴射ヘッド３への採用例について示したが、ロッドコータで用いる塗工液噴射ヘッドについても同様に採用できること、又、リップ先端部に設けた水流出口は、幅方向に千鳥の配置としてもよく、又、図示し説明した以外の任意の形状としても良いこと、その他本発明の要旨を逸脱しない範囲内において種々変更を加え得ることは勿論である。
【００１８】
【発明の効果】
以上述べた如く、本発明の塗工液噴射ヘッドの汚れ防止装置によれば、ヘッドケーシングの先端部に備えた一対のリップ間のスリットを通して供給される塗工液を、ロールに巻掛けられて走行する原紙の表面に噴射して塗布するようにしてある塗工液噴射ヘッドの上記一対のリップの先端部の内側に、それぞれ通水路を全長に亘り設け、上記リップの最先端部付近の外側に、上記通水路内の水をにじみ出させて該水を上記ヘッドケーシングの外側表面に沿わせるための多数の水流出口を、隣り同士の水流出口からにじみ出る水が合流し合うように所要のピッチ間隔で穿設した構成としてあるので、水流出口から小量の水を連続的又は間欠的に流出させることにより、リップの外側表面からヘッドケーシングの表面にかけて一様に濡らすことができ、このため、汚れを水と共に流すことができ、雰囲気条件に左右されることなく、且つ冷凍機や蒸気を用いることなく、ヘッド周りの汚れの堆積を防止することができ、特に、リップ先端の汚れの堆積を確実に防止できることから、塗工むらの発生を未然に防止することができ、又、ヘッドケーシングの下端部に、リップの最先端部付近の外側に穿設した水流出口からにじみ出てヘッドケーシングの外側表面に沿って流下する水を回収するための水回収樋を設けた構成とすることにより、汚れの付着した水を水回収樋で回収することができるので、水を塗工液循環系統に混入させることがなくて、塗工液を希釈してしまうこともない、という優れた効果を発揮する。
【図面の簡単な説明】
【図１】本発明の塗工液噴射ヘッドの汚れ防止装置の実施の一形態を示す概要図である。
【図２】本発明の実施の他の形態を示す概要図である。
【図３】ブレードコータの一例を示す概略図である。
【図４】従来の塗工液噴射ヘッドの一例を示す概要図である。
【符号の説明】
１  原紙
２  バッキングロール（ロール）
３  塗工液噴射ヘッド
４  塗工液
６  ヘッドケーシング
９  リップ
１０  スリット
１３  通水路
１４  水流出口
１５  水回収樋
１６  水流出口
Ｗ  水
【図１】
0004506009.tif 000002
【図２】
0004506009.tif 000003
【図３】
0004506009.tif 000004
【図４】
0004506009.tif 000005